(57)【要約】【課題】  肺から排出される呼気の熱エネルギーを身体の暖房に直接再利用することができる暖房具を提供する。【解決手段】  顔面に呼吸可能に装着され、鼻と口を覆うと共に吸気口３及び吸気弁４並びに排気口５及び排気弁６を備えたマスク体１と、身体Ｐに空気層を介して被装され、吸気口１２及び排気口１３を備える密閉防寒性衣服１１と、前記マスク体１の排気口５と密閉防寒性衣服１１の吸気口１２とを連結し、マスク体１の排気口５から排出される呼気を密閉防寒性衣服１１の吸気口１２から密閉防寒性衣服１１内へと導入する連通管２１と、前記マスク体１から連通管２１を経て密閉防寒性衣服１１の内部に至る呼気の通路内に配置された吸湿手段３１とから構成される。【選択図】  図１
2015059273.tif 000002
【特許請求の範囲】
【請求項１】
顔面に呼吸可能に装着され、鼻と口を覆うと共に吸気口及び吸気弁並びに排気口及び排気弁を備えたマスク体と、身体に空気層を介して被装され、吸気口及び排気口を備える密閉防寒性衣服と、前記マスク体の排気口と密閉防寒性衣服の吸気口とを連結し、マスク体の排気口から排出される呼気を密閉防寒性衣服の吸気口から密閉防寒性衣服内へと導入する連通管と、前記マスク体から連通管を経て密閉防寒性衣服の内部に至る呼気の通路内に配置された吸湿手段とからなる暖房具。
【請求項２】
前記密閉防寒性衣服の吸気口が、該密閉防寒性衣服における首部又は肩口付近に設けられた請求項１に記載の暖房具。
【請求項３】
前記密閉防寒性衣服の排気口が、該密閉防寒性衣服における手部及び足部の端部付近に設けられた請求項１に記載の暖房具。
【発明の詳細な説明】
【技術分野】
【０００１】
本発明は、寒冷時において、呼吸により肺から排出される呼気の熱エネルギーを再利用して身体を保温するようにした暖房具に関する。
【背景技術】
【０００２】
肺から排出される呼気の熱エネルギーを再利用する先行技術として、特許文献１には、呼気の熱エネルギーを貯熱すると共にこの貯熱された熱を吸気時に放出させて吸気温度を上昇させ、それにより身体を内部から温暖化させるようにした鼻孔装着型暖房防寒具が開示されている。前記先行技術では、呼気と吸気との熱交換により吸気温度を上昇させるようにしている。
【先行技術文献】
【特許文献】
【０００３】
【特許文献１】特開２００９−１４２９５０号公報
【発明の概要】
【発明が解決しようとする課題】
【０００４】
本発明の解決すべき課題は、肺から排出される呼気の熱エネルギーを身体の暖房に直接再利用することができる暖房具を提供することにある。
【課題を解決するための手段】
【０００５】
本発明に係る暖房具は、顔面に呼吸可能に装着され、鼻と口を覆うと共に吸気口及び吸気弁並びに排気口及び排気弁を備えたマスク体と、身体に空気層を介して被装され、吸気口及び排気口を備える密閉防寒性衣服と、前記マスク体の排気口と密閉防寒性衣服の吸気口とを連結し、マスク体の排気口から排出される呼気を密閉防寒性衣服の吸気口から密閉防寒性衣服内へと導入する連通管と、前記マスク体から連通管を経て密閉防寒性衣服の内部に至る呼気の通路内に配置された吸湿手段とからなるものである。
【０００６】
前記構成において、呼吸作用の内、吸気が行われると、マスク体の吸気弁が開くと共に排気弁が閉じ、外の空気がマスク体の吸気口及び吸気弁を通過し、吸気として肺に吸入される。他方、呼吸作用の内、呼気が行われると、マスク体の吸気弁が閉じると共に排気弁が開き、肺を通過して加温且つ加湿された空気が、呼気としてマスク体の排気口から排出され、連通管、密閉防寒性衣服の吸気口を通過して密閉防寒性衣服内に導入され、身体の暖房に供される。また、前記呼気中の水蒸気は、密閉防寒性衣服内において身体表面から発生する水蒸気等と共に前記吸湿手段により除去される。
【０００７】
前記密閉防寒性衣服には、例えば寒冷、寒風時の衣服に使用されるような公知の素材を使用することができ、該素材は、例えば、外部の冷たい空気を遮断すると共に肺から発生する水蒸気を外部に排出し得るようなものであってもよい。また、前記密閉防寒性衣服の吸気口は、例えば該密閉防寒性衣服における好ましくは身体の運動性等を阻害しないような個所、例えば上半身の上部、特に首部又は肩口付近に設けられてもよく、また前記密閉防寒性衣服の排気口は、例えば該密閉防寒性衣服における好ましくはその吸気口から比較的離れた個所、例えば手部及び足部の端部付近に孔や網目部等の形態で設けられてもよく、また該排気口については、例えば適宜の開閉手段や調節手段により、通気抵抗の調節、変更が可能であってもよい。
【０００８】
前記連通管は、その着脱性や身体の運動性等を阻害しないように可撓性や伸縮性等を有することが好ましく、マスク体の排気口及び密閉防寒性衣服の吸気口には、例えば各々公知の気密性コネクタを介して連結されてもよい。また、前記連通管には、その内部を通過する加温された呼気の冷却を防止するために、断熱材の被覆等の断熱処理を施すことが好ましい。
【０００９】
また、前記吸湿手段としては、例えば高吸水性樹脂（ＳＡＰ）、塩化カルシウム、シリカゲル系調湿材等の吸湿剤をシート状、板状或いは袋状等の形態にしたもの、具体的には例えば、前記吸湿剤を不織布、織布、紙材等の基材の表面や内部に吸湿可能に担持させ、或いは前記基材からなる包装体等に吸湿可能に収納させてなるものを、シート状、板状或いは袋体状等の形態で、呼気の通路内や呼気の通路に沿って前記マスク体、連通管及び密閉防寒性衣服の内側に配置される。
【００１０】
前記吸湿手段は、例えば前記マスク体や連通管の内壁に着脱可能に装着されてもよい。また、前記吸湿手段は、例えば密閉防寒性衣服の内側面に着脱可能に貼着や収納等により装着され、身体の背部への貼着等により装着され、或いは衣服形状や衣服類似形状で身体に装着されてもよく、前記身体への装着等が、胴衣やベスト等の着衣を介して行われてもよい。
【発明の効果】
【００１１】
本発明に係る暖房具によれば、カイロ、電熱器具、湯たんぽ等の外部熱エネルギーを利用せずに、或いはそれらを補完するものとして、肺から排出される呼気の熱エネルギーを無為に廃棄することなしに身体の暖房に直接再利用することが可能であり、またその場合に、前記呼気中の水蒸気や密閉防寒性衣服内において身体表面から発生した水蒸気等は前記吸湿手段により除去されるので、前記水蒸気に起因して身体表面及び前記密閉防寒性衣服並びにその下の着衣等に凝縮により付着、浸透した水分の蒸発による体温の低下が防止される。
【図面の簡単な説明】
【００１２】
【図１】図１は、本発明に係る暖房具の全体構成を示す説明図である。
【図２】図２は、本発明に係る暖房具を構成するマスク体の一例の断面図である。
【発明を実施するための形態】
【００１３】
以下に、本発明を実施例に基づいて具体的に説明する。
図１〜２において、本発明に係る暖房具Ｈは、顔面に装着されるマスク体１と、密閉防寒性衣服１１と、それらを連結する連通管２１と、呼気の通路内に配置された吸湿手段３１とから基本的に構成される。
【００１４】
前記マスク体１は、顔面に呼吸可能にバンド２で装着され、鼻と口を覆うと共に吸気口３及び吸気弁４並びに排気口５及び排気弁６を備えている。
【００１５】
前記密閉防寒性衣服１１は、繋ぎ服の形態を呈し、身体Ｐに空気層を介して被装され、首部の中央付近に吸気口１２を有すると共に両手部及び両足部の各端部付近に小孔状の排気口１３を備えている。
【００１６】
前記連通管２１は、断熱性並びに可撓性及び伸縮性を有し、前記マスク体１の排気口５と密閉防寒性衣服１１の吸気口１２とを各々コネクタ２２、２３を介して着脱可能に連結し、マスク体１の排気口５から排出される呼気を密閉防寒性衣服１１内へとその吸気口１２から導入する。
【００１７】
前記吸湿手段３１としては、例えば、高吸水性樹脂、塩化カルシウム等の吸湿剤を不織布等の多孔性基材からなる包装体に収納させて吸湿袋体としてもよく、これは、例えば密閉防寒性衣服１１の内側の適宜の個所に設けられた網状のポケットに収納して使用される。また、別の吸湿手段３１としては、例えば、前記吸湿袋体の片面に剥離可能な粘着剤層を介して剥離紙が貼着されてなるものであってもよく、これは、剥離紙の剥離除去後、例えば密閉防寒性衣服１１の内側の適宜の個所や前記密閉防寒性衣服１１の下の着衣等に、貼着して使用される。なお、前記吸湿手段３１は、前記マスク体から連通管を経て密閉防寒性衣服の内部に至る呼気の通路内において呼気内の水蒸気を吸湿し得るものである限り、前記の配置個所や配置態様に限定されるものではない。
【００１８】
本発明は前記実施形態に限定されるものではなく、本発明の精神と特許請求の範囲に記載された範囲内において、種々の変形、組合せ等による前記以外の多くの広範な実施態様が実施可能であることは言うまでもない。
【産業上の利用可能性】
【００１９】
本発明に係る暖房具は、カイロ、電熱器具、湯たんぽ等の外部熱エネルギーを利用せずに、或いはそれらを補完するものとして、肺から排出される呼気の熱エネルギーを身体の暖房に直接再利用するものであり、例えば冬山登山、冷凍庫内での作業或いは厳寒下の就寝等に際して好適に利用可能である。
【符号の説明】
【００２０】
Ｈ  暖房具
Ｐ  肺
１  マスク体
２  バンド
３  吸気口
４  吸気弁
５  排気口
６  排気弁
１１  密閉防寒性衣服
１２  吸気口
１３  排気口
２１  連通管
２２、２３  コネクタ
３１  吸湿手段
【図１】
2015059273.tif 000003
【図２】
2015059273.tif 000004